(57)【要約】【課題】従来よりも変化のある発光をすることで、使用者にとって、飽きの来にくい発光具を提供する。【解決手段】所定の立体形状に形成されていて表面の少なくとも一部が発光するメイン発光部３を備え、メイン発光部３の表面は複数の発光箇所７で構成されており、複数の発光箇所７のうちの少なくとも２つの発光箇所はお互いが隣接しており、２つの発光箇所７Ａ、７Ｂのそれぞれをお互いが異なる色で発光させる制御部５を有する発光具１である。【選択図】図１
2018142458.tif 000002
【特許請求の範囲】
【請求項１】
所定の立体形状に形成されていて表面の少なくとも一部が発光するメイン発光部を備え、前記メイン発光部の表面は複数の発光箇所で構成されており、前記複数の発光箇所のうちの少なくとも２つの発光箇所はお互いが隣接しており、前記２つの発光箇所のそれぞれをお互いが異なる色で発光させる制御部を有することを特徴とする発光具。
【請求項２】
請求項１に記載の発光具において、
前記メイン発光部は、発光部カバーと、発光体とを備えて構成されており、
前記発光部カバーの厚さ方向の一方の面に、ミラープレートが設けられていることで、前記発光部カバーの厚さ方向の一方の側は、少なくとも２つの領域に分割されており、
前記発光体は、前記分割された各領域のそれぞれに設けられており、
前記発光部カバーの厚さ方向の他方の面が前記発光箇所を形成していることを特徴とする発光具。
【請求項３】
請求項１に記載の発光具において、
前記メイン発光部は、発光部カバーと、発光体とを備えて構成されており、
前記発光部カバーの厚さ方向の一方の面に、光拡散材が設けられていることで、前記発光部カバーの厚さ方向の一方の側は、少なくとも２つの領域に分割されており、
前記発光体は、前記分割された各領域のそれぞれに設けられており、
前記発光部カバーの厚さ方向の他方の面が前記発光箇所を形成していることを特徴とする発光具。
【請求項４】
請求項１に記載の発光具において、
前記メイン発光部は、複数の発光部カバーと、複数の発光体とを備えて構成されており、
前記各発光体のそれぞれは、前記各複数の発光部カバーのそれぞれに設けられており、
前記各発光部カバーのうちに少なくとも２つの発光部カバーは、これらの発光部カバーに設けられている発光体とともに、お互いが分離されている状態から接合可能に構成されており、また、お互いが接合されている状態から分離可能に構成されていることを特徴とする発光具。
【請求項５】
請求項１〜請求項４のいずれか１項に記載の発光具において、
発光色切換スイッチと、
前記メイン発光部の発光箇所とは別個に発光するサブ発光部と、
を有し、前記制御部は、前記発光色切換スイッチに対して第１の操作がされたときには、前記サブ発光部での発光色を切り換え、前記発光色切換スイッチに対して第２の操作がされたときには、前記サブ発光部が発光している色で前記メイン発光部の発光箇所を発光させる制御をすることを特徴とする発光具。
【発明の詳細な説明】
【技術分野】
【０００１】
本発明は、発光具に係り、たとえば、コンサート会場で使用されるものに関する。
【背景技術】
【０００２】
従来、発光部が発する色を時刻の経過とともに変える発光具が知れられている（たとえば特許文献１参照）。
【先行技術文献】
【特許文献】
【０００３】
【特許文献１】特開２０１４−２１２０２１号公報
【発明の概要】
【発明が解決しようとする課題】
【０００４】
ところで、従来の発光具では、発光部がある時刻では、一色の色でしか発光しないので、変化にとぼしく、発光具の使用者にとって飽きがきやすい。
【０００５】
本発明は、従来よりも変化のある発光をすることで、使用者にとって、飽きの来にくい発光具を提供することを目的とする。
【課題を解決するための手段】
【０００６】
請求項１に記載の発明は、所定の立体形状に形成されていて表面の少なくとも一部が発光するメイン発光部を備え、前記メイン発光部の表面は複数の発光箇所で構成されており、前記複数の発光箇所のうちの少なくとも２つの発光箇所はお互いが隣接しており、前記２つの発光箇所のそれぞれをお互いが異なる色で発光させる制御部を有する発光具である。
【０００７】
請求項２に記載の発明は、請求項１に記載の発光具において、前記メイン発光部は、発光部カバーと、発光体とを備えて構成されており、前記発光部カバーの厚さ方向の一方の面に、ミラープレートが設けられていることで、前記発光部カバーの厚さ方向の一方の側は、少なくとも２つの領域に分割されており、前記発光体は、前記分割された各領域のそれぞれに設けられており、前記発光部カバーの厚さ方向の他方の面が前記発光箇所を形成している発光具である。
【０００８】
請求項３に記載の発明は、請求項１に記載の発光具において、前記メイン発光部は、発光部カバーと、発光体とを備えて構成されており、前記発光部カバーの厚さ方向の一方の面に、光拡散材が設けられていることで、前記発光部カバーの厚さ方向の一方の側は、少なくとも２つの領域に分割されており、前記発光体は、前記分割された各領域のそれぞれに設けられており、前記発光部カバーの厚さ方向の他方の面が前記発光箇所を形成している発光具である。
【０００９】
請求項４に記載の発明は、請求項１に記載の発光具において、前記メイン発光部は、複数の発光部カバーと、複数の発光体とを備えて構成されており、前記各発光体のそれぞれは、前記各複数の発光部カバーのそれぞれに設けられており、前記各発光部カバーのうちに少なくとも２つの発光部カバーは、これらの発光部カバーに設けられている発光体とともに、お互いが分離されている状態から接合可能に構成されており、また、お互いが接合されている状態から分離可能に構成されている発光具である。
【００１０】
請求項５に記載の発明は、請求項１〜請求項４のいずれか１項に記載の発光具において、発光色切換スイッチと、前記メイン発光部の発光箇所とは別個に発光するサブ発光部と、を有し、前記制御部は、前記発光色切換スイッチに対して第１の操作がされたときには、前記サブ発光部での発光色を切り換え、前記発光色切換スイッチに対して第２の操作がされたときには、前記サブ発光部が発光している色で前記メイン発光部の発光箇所を発光させる制御をする発光具である。
【発明の効果】
【００１１】
本発明によれば、従来よりも変化のある発光をすることで、使用者にとって、飽きの来にくい発光具を提供することができるという効果を奏する。
【図面の簡単な説明】
【００１２】
【図１】本発明の実施形態に係る発光具の斜視図である。
【図２】本発明の実施形態に係る発光具の正面図である。
【図３】図２におけるＩＩＩ矢視図である。
【図４】図３におけるＩＶ矢視図である。
【図５】本発明の実施形態に係る発光具の発光部カバーを示す図であり、（ｂ）は（ａ）におけるＶＢ矢視図であり、（ｃ）は（ａ）におけるＶＣ―ＶＣ断面を示す図であり、（ｄ）は（ｃ）で示すものにミラープレートを設置した状態を示す図である。
【図６】変形例に係る発光具を示す図である。
【図７】変形例に係る発光具を示す図である。
【図８】変形例に係る発光具を示す図である。
【図９】変形例に係る発光具を示す図である。
【発明を実施するための形態】
【００１３】
本発明の実施形態に係る発光具１は、たとえば、コンサート用のライトとして観客（使用者）が手に持って使用するものであり、図１〜図４で示すように、発光部（メイン発光部）３と制御部５を備えて構成されている。
【００１４】
メイン発光部３は、円柱状等の所定の１の立体形状に形成されており、この立体形状のものの表面の少なくとも一部が発光するようになっている。
【００１５】
すなわち、メイン発光部３の表面は、複数の（たとえば２つの）発光箇所７（７Ａ、７Ｂ）で構成されている。複数の発光箇所７（７Ａ、７Ｂ）はお互いが隣接している。なお、メイン発光部３の表面が３つ以上の発光箇所で形成されており、この複数の発光箇所のうちの少なくとも２つの発光箇所が、お互いに隣接していてもよい。以下、発光箇所７が２つの場合を例に掲げて説明する。
【００１６】
制御部５は、２つの発光箇所７Ａ、７Ｂのそれぞれをお互いが異なる発光パターン（たとえば異なる色）で発光させるようになっている。
【００１７】
発光具１についてさらに詳しく説明すると、発光具１は筐体９を備えており、筐体９は、グリップ（把持部）１１と、メイン発光部３を構成する発光部カバー（発光部覆い）１３とを備えて構成されている。
【００１８】
グリップ１１は、たとえば、黒色等の不透明な合成樹脂で有底円筒状（円筒枡状；円筒の一方の端の円形の開口部を円板で塞いだ形状）に形成されており、円筒の端部（開口している側の端部）の内周にはメスネジ部（図示せず）が形成されている。
【００１９】
発光部カバー１３は、たとえば、透明もしくは乳白色等の半透明の合成樹脂で有底円筒状に形成されており、円筒の端部（開口している側の端部）の外周にはオスネジ部（図示せず）が形成されている。
【００２０】
そして、発光部カバー１３のオスネジ部がグリップ１１のメスネジ部に螺合することで、グリップ１１と発光部カバー１３とが一体化し、筐体９が形成されている。筐体９の内部には、円柱状の空間が形成されている。
【００２１】
筐体９の内部には、発光部カバー１３とともにメイン発光部３を構成する発光体（たとえばＬＥＤ）１５と、電池等で構成された電源１７と、ＣＰＵ１９とメモリ２１とを備えて構成された制御部５とが設けられている。発光体１５と電源１７と制御部５とは、グリップ１１に一体的に設けられている。
【００２２】
なお、制御部５と電源１７とがグリップ１１内に設けられているのに対して、発光体１５は、グリップ１１の開口部から発光部カバー１３側に突出している。そして、発光体１５で発した光が、発光部カバー１３を通って、筐体９の外部に出てくるようになっている。すなわち、発光体１５が発光した色で発光部カバー１３が発光するようになっている。電源１７は、制御部５や発光体１５に電力を供給するようになっている。
【００２３】
発光体１５は、赤色を発する赤色ＬＥＤ（図示せず）と、緑色を発する緑色ＬＥＤ（図示せず）と、青色を発する青色ＬＥＤ（図示せず）とを備えて構成されており、これらの三原色を発する各ＬＥＤそれぞれの光度（輝度）を適宜変えることで、フルカラーで任意の色で発光するようになっている。なお、発光体１５に、白色を発する白色ＬＥＤがさらに設けられていてもよい。
【００２４】
メイン発光部３は、上述したように、発光部カバー１３と、発光体１５とを備えて構成されている。
【００２５】
発光部カバー１３の厚さ方向の一方の面には、ミラープレート２３が設けられている。これにより、発光部カバー１３の厚さ方向の一方の側は、少なくとも２つの領域（空間）２５（２５Ａ、２５Ｂ）に分割されている。たとえば、発光部カバー１３の内部の円柱状の空間内に、矩形な平板状のミラープレート２３が一体的に設けられていることで（図５（ｄ）参照）、発光部カバー１３の内部の円柱状の空間（領域）２５は、２つの空間（底面や上面が半円形である半円柱状の空間）２５Ａ、２５Ｂに分割されている。
【００２６】
ミラープレート２３は、たとえば、透明な樹脂（ＰＥＴ樹脂等）で構成された板状の部材の厚さ方向の一方の面（両面でもよい）に、アルミ蒸着処理等によって光を反射する反射膜を設けた構成になっている。
【００２７】
また、ミラープレート２３は、図５（ｄ）に示すように、発光部カバー１３の内部に設けられている凸部１３ａに一部が挟まれて、発光部カバー１３内に固定されている。
【００２８】
発光体１５は、分割された各領域（各空間）２５Ａ、２５Ｂのそれぞれに設けられている。たとえば、一方の空間２５Ａには、グリップ１１の開口部から発光部カバー１３側に突出している発光体１５Ａが設けられており、他方の空間２５Ｂには、グリップ１１の開口部から発光部カバー１３側に突出している発光体１５Ｂが設けられている。
【００２９】
発光部カバー１３の厚さ方向の他方の面（発光部カバー１３の外側の面）が発光箇所７（７Ａ、７Ｂ）を形成している。
【００３０】
すなわち、発光部カバー１３の外周の面（円柱の側面と円形状の先端面）が、発光部カバー１３内のミラープレート２３が設置されているところを境界にして、複数の発光箇所７Ａ、７Ｂに分割されている。
【００３１】
発光部カバー１３の厚さ方向の一方の側の複数の空間（発光部カバー１３の円柱状の内部空間）２５Ａ、２５Ｂ同士は、ミラープレート２３によって光が遮断されている。たとえば、空間２５Ａ設けられている発光体１５Ａが発した光は、ミラープレート２３で反射されて遮られ、空間２５Ｂには到達しないようになっている。
【００３２】
また、発光具１には、発光色切換スイッチ（たとえば押しボタンスイッチ）２７とサブ発光部２９とが設けられている。サブ発光部２９は、メイン発光部３から離れて設けられており、メイン発光部３の発光箇所７とは別個に発光するようになっている。
【００３３】
なお、発光色切換スイッチ２７とサブ発光部２９とは、グリップ１１の同じ箇所に設けられている。さらに説明すると、発光色切換スイッチ２７とサブ発光部２９とは、スイッチ本体（図示せず）とスイッチカバー３１と、メイン発光部３の発光体１５と同様にＬＥＤで構成された発光体（図示せず）を備えて構成されている。
【００３４】
スイッチ本体（図示せず）と発光体（図示せず）とをスイッチカバー３１が覆っており、発光体（図示せず）が発した光が、スイッチカバー３１を透過して、発光具１の外部に出てくることで、スイッチカバー３１が発光するようになっている。
【００３５】
スイッチカバー３１を押すことでスイッチ本体が押され、発光色切換スイッチ２７の操作がされるようになっている。サブ発光部２９が発光可能な色の種類や発光パターンは、メイン発光部３ものと同じになっている。
【００３６】
発光色切換スイッチ２７は、メイン発光部３の発光箇所７の数に応じて設けられている。たとえば、発光色切換スイッチ２７（２７Ａ、２７Ｂ）は、メイン発光部３の発光箇所７（７Ａ、７Ｂ）と同じ数設けられている。サブ発光部２９（２９Ａ、２９Ｂ）は、発光色切換スイッチ２７（２７Ａ、２７Ｂ）の数に応じて設けられている。すでに理解されるように、サブ発光部２９は、発光色切換スイッチ２７と同じ数設けられている。
【００３７】
制御部５は、発光色切換スイッチ２７にされた操作に応じて、メイン発光部３の発光箇所７の色を切り換えるようになっている。
【００３８】
さらに詳しく説明すると、制御部５は、発光色切換スイッチ２７に対して第１の操作（たとえば短時間の押し；チョイ押し）がされたときには、メイン発光部３での発光色をそのままにしておいて、サブ発光部２９での発光色をメイン発光部３での発光とは別に切り換えるようになっている。
【００３９】
また、制御部５は、発光色切換スイッチ２７に対して第２の操作（第１の操作とは異なる第２の操作；たとえば長時間の長押し；長押し）がされたときには、サブ発光部２９が発光している色でメイン発光部３の発光箇所７を発光させるようになっている。
【００４０】
なお、制御部５によって、発光色切換スイッチ２７に対して第１の操作がされたときにサブ発光部での発光パターンを切り換え、発光色切換スイッチ２７に対して第２の操作がされたときにサブ発光部２９が発光している発光パターンでメイン発光部３の発光箇所７を発光させるようにしてもよい。
【００４１】
次に、発光具１に動作を説明する。
【００４２】
まず、発光具１の電源をオンする。電源のオンは、たとえば、発光色切換スイッチ２７Ａ、２７Ｂを同時に長押しすることでなされる。
【００４３】
発光具１の電源がオンされると、たとえば、各発光箇所７Ａ、７Ｂのそれぞれが同色（たとえば、白色）で発光する。
【００４４】
続いて、発光箇所７Ａでの発光色を変えるときには、発光色切換スイッチ２７Ａを、１回もしくは所定の回数チョイ押し、サブ発光部２９Ａを赤色に発光させる。続いて、発光色切換スイッチ２７Ａを長押しすると発光箇所７Ａが赤色に発光する（図１〜図４で発光箇所７Ａに記載されている「Ｒ」の文字は、発光箇所７Ａが赤色で発光していることを示している。
【００４５】
続いて、発光箇所７Ｂでの発光色を変えるときには、発光色切換スイッチ２７Ｂを１回もしくは所定の回数チョイ押し、サブ発光部２９Ｂを黄色に発光させる。続いて、発光色切換スイッチ２７Ｂを長押すると発光箇所７Ｂが黄色に発光する（図１〜図４で発光箇所７Ｂに記載されている「Ｙ」の文字は、発光箇所７Ｂが黄色で発光していることを示している。
【００４６】
発光具１によれば、メイン発光部３の表面が複数の発光箇所７で構成されており、複数の発光箇所７のうちの少なくとも２つの発光箇所はお互いが隣接しており、２つの発光箇所７Ａ、７Ｂのそれぞれがお互いに異なる色で発光するので、従来よりも変化のある発光をメイン発光部３がすることになり、使用者にとって飽きがきにくくなる。
【００４７】
また、発光具１によれば、発光箇所７がミラープレート２３で仕切られているので、発光箇所７の境界で色を急激に変化させることができる。また、発光箇所７の境界では、発光部カバー１３を光が通るので、発光箇所７の境界での光量不足がほとんど発生ず、発光箇所７の境界での黒線の発生を回避することができる。
【００４８】
さらに、ミラープレート２３を、透明な樹脂で構成された板状の部材の厚さ方向の一方の面のみに反射膜を設けた構成にすることで、ミラープレート２３の透明な樹脂を光が通り、発光箇所７の境界での光量不足の発生を一層回避することができる。
【００４９】
また、発光具１によれば、発光色切換スイッチ２７に対して第１の操作がされたときには、サブ発光部２９での発光色を切り換え、発光色切換スイッチ２７に対して第２の操作がされたときには、サブ発光部２９が発光している色でメイン発光部３の発光箇所７を発光させるので、メイン発光部３での発光色を、前もって確実に知ることができ、見苦しくない態様で、メイン発光部３の発光色を切り換えることができる。
【００５０】
ところで、図６、図７（ａ）（ｂ）、図９で示すように、１つの発光具１が、複数（たとえば２つ）に分離され、また、分離されたものが接合されるように、構成されていてもよい。
【００５１】
すなわち、発光具１において、メイン発光部３が、複数の発光部カバー１３Ａ、１３Ｂと、複数の発光体（図示せず）とを備えて構成されており、上記各発光体のそれぞれが光部カバー１３Ａ、１３Ｂを通して発光部カバー１３Ａ、１３Ｂの外部に光を発するために、各複数の発光部カバー１３Ａ、１３Ｂのそれぞれの内部に設けられていてもよい。
【００５２】
さらに、各発光部カバーのうちの少なくとも２つの発光部カバー１３Ａ、１３Ｂが、これらの発光部カバー１３Ａ、１３Ｂに設けられている発光体とともに、お互いが分離されている状態から容易に接合可能に構成されており、また、お互いが接合されている状態から容易に分離可能に構成されていてもよい。
【００５３】
図６（ａ）で示す発光具１は、図１〜図４に示す発光具１の全体を、円柱状の発光具１の中心軸を含む平面で、２つの発光具１Ａ、１Ｂに分割した態様になっている。発光具１Ａのグリップ１１および発光部カバー１３は、有底半円筒状に形成されている。また、発光具１Ａのグリップ１１内には、電源や制御部や発光体１５Ａが設けられている。発光具１Ｂも発光具１Ａと同様に構成されている。
【００５４】
発光具１Ａと発光具１Ｂとは、お互いが分離しているときには、図６（ａ）で示すように、半円柱状になっているが、お互いが結合されたときには、お互いの平面状部が接合され、図６（ｂ）で示すように、１の円柱状になる。
【００５５】
なお、発光具１Ａと発光具１Ｂとの接合は、各発光具１Ａ、１Ｂのそれぞれに一体的に設けられている面ファスナ、磁石、係止部によってなされるようになっているが、発光具１Ａや発光具１Ｂとは別体である留具等の締結材を用いてなされるようになっていてもよい。さらに、面ファスナ等は、グリップ１１のところに設けられていることが望ましい。
【００５６】
図７（ａ）（ｂ）で示す発光具１は、次にようになっている。図１〜図４に示す発光具１において、メイン発光部３の発光箇所７を１つしか設けず、発光部カバー１３が黄色等の１種類の色を発光するように構成する。このように構成した円柱状の発光具１を２つ用意（発光具１Ｃ、１Ｄ）する。
【００５７】
そして、図７（ａ）で示す態様では、発光具１Ｃのグリップ１１の端面と、発光具１Ｄのグリップ１１の端面とが、参照符号Ｐ１のところで、図６で示す発光具１と同様にして接合され、また、発光具１Ｃと発光具１Ｄとが分離されるようになっている。
【００５８】
図７（ｂ）で示す態様では、発光具１Ｃのメイン発光部３の端面と、発光具１Ｄのメイン発光部３の端面とが、参照符号Ｐ２のところで、図６で示す発光具１と同様にして接合され、また、発光具１Ｃと発光具１Ｄとが分離されるようになっている。
【００５９】
なお、図７（ａ）や図７（ｂ）で示す発光具１Ｃ、１Ｄのメイン発光部３が、図１〜図４で示す発光具１にように、複数の発光箇所７を備えていてもよい。
【００６０】
図６、図７（ａ）（ｂ）で示す発光具１（１Ａ、１Ｂ、１Ｃ、１Ｄ）によれば、２つの発光部カバー１３Ａ、１３Ｂが、これらに設けられている発光体とともに、お互いが分離されている状態から接合可能に構成されており、また、お互いが接続されている状態から分離可能に構成されているので、意外性を発揮することができ、使用者にとって一層飽きが来にくくなる。
【００６１】
また、分離した状態で使用すれば、たとえば、両手のそれぞれが発光具１Ａ、１Ｂ（１Ｃ、１Ｄ）を持つことができ、コンサート会場での気分の高揚が一層促進される。
【００６２】
図７（ｃ）で示す発光具１は、ミラープレート２３の代わりに、光拡散材３３（図８（ａ）も併せて参照）を設けている。
【００６３】
すなわち、図７（ｃ）で示す発光具１は、メイン発光部３が、円筒状の発光部カバー１３と発光体（図示せず）とを備えて構成されており、発光部カバー１３の厚さ方向の一方の面に（円筒状の発光部カバー１３の内部に）、光拡散材３３が設けられていることで、発光部カバー１３の厚さ方向の一方の側（発光部カバー１３の内側）は、少なくとも２つの領域（空間）２５Ａ、２５Ｂと光拡散材３３の部位とに分割されている。
【００６４】
なお、光拡散材３３は、たとえば、ポリウレタン等の透明な合成樹脂で構成されている。さらに、光拡散材３３は、多数の空隙を備えてスポンジ状になっている。
【００６５】
発光体１５（１５Ａ、１５Ｂ）は、分割された各領域（各空間）のそれぞれに設けられており、発光部カバー１３の厚さ方向の他方の面（外面）が発光箇所７を形成している。
【００６６】
すなわち、発光部カバー１３の厚さ方向の他方の面（外面）が、発光部カバー１３の厚さ方向見ると、光拡散材３３が設置されている箇所３５、光拡散材３３が設置されている箇所３５の一方の側で光拡散材３３が設置されている箇所に隣接している一方の側の箇所（空間２５Ａに対応する箇所）３７、光拡散材３３が設置されている箇所の他方の側の箇所（空間２５Ａに対応する箇所）３９という複数の発光箇所に分割されている。
【００６７】
発光部カバー１３の厚さ方向の一方の側の複数の空間２５Ａ、２５Ｂ同士は、ミラープレートを設けた場合と同様にして、光拡散材３３によって光が遮断されている。たとえば、複数の領域のうちの任意の１つの領域２５Ａに設けた発光体１５Ａが発した光は、光拡散材３３で拡散されて遮られ、他の領域（任意の１つの領域を除く他の領域）２５Ｂには到達しないようになっている。
【００６８】
ただし、ミラープレート２３は、厚さは薄いが、光拡散材３３は厚みを持っており、発光部カバー１３の厚さ方向の他方の面（外面）は、光拡散材３３が設置されていることで、上述したように、３つ発光箇所３５、３７、３９に分割されている。
【００６９】
複数の発光箇所３５、３７、３９のうちの光拡散材３３に対応する箇所３５では、色のグラデーションをなしている。たとえば、赤色から黄色に色が連続的に変化している。
【００７０】
さらに、説明すると、発光部カバー１３は円筒状に形成されており、中心軸の両方の端部にグリップ１１が設けられている。各グリップ１１のそれぞれには、発光体、電源１７、制御部５が設けられている。
【００７１】
光拡散材３３は、円筒状の発光部カバー１３の中心軸の延伸方向の中央部に設けられている。
【００７２】
図７（ｃ）で示す発光具１によれば、発光箇所７が光拡散材３３で仕切られているので、光拡散材３３の部位で色のグラデーションを容易に得ることができる。
【００７３】
なお、図７（ｃ）で示す発光具１において、光拡散材３３の代わり、図８（ｂ）で示すように、ミラープレート２３を設けてもよい。
【００７４】
ところで、上記説明では、発光具１として、観客が手で持って使用する円柱状のコンサート用ライトを例に掲げて説明しているが、図９で示すように、発光具１として、指輪状のコサートライトを採用してもよい。
【００７５】
この場合、指輪の石に相当する部分が、複数（たとえば２つ）の発光箇所７Ａ、７Ｂを備えたメイン発光部３を構成しており、指輪のマウントに相当する部位４１に、電源、制御部、発光体が設けられている。指輪のアームに相当する環状の部位４３に人の指が挿入される。
【００７６】
なお、図９に示す指輪状の発光具１において、発光箇所７Ａ、７Ｂ、部位４１、部位４３で分割し、分離、接合可能にしてもよい。
【００７７】
図９に示す指輪状の発光具１が分離されている状態では、発光箇所７Ａと分割された一方の部位４１と、分割された一方の部位４３とで、１つの指輪状の発光具が形成されており、発光箇所７Ｂと分割された他方の部位４１と、分割された他方の部位４３とで、他の１つの指輪状の発光具が形成される。
【００７８】
さらに、図９に示す発光具１をいいきくし腕輪として使用してもよい。
【符号の説明】
【００７９】
１  発光具
３  メイン発光部
５  制御部
７  発光箇所
１３  発光部カバー
１５  発光体（ＬＥＤ）
２３  ミラープレート
２５  領域（空間）
２７  発光色切換スイッチ
２９  サブ発光部
３３  光拡散材
【図１】
2018142458.tif 000003
【図２】
2018142458.tif 000004
【図３】
2018142458.tif 000005
【図４】
2018142458.tif 000006
【図５】
2018142458.tif 000007
【図６】
2018142458.tif 000008
【図７】
2018142458.tif 000009
【図８】
2018142458.tif 000010
【図９】
2018142458.tif 000011